(57)【特許請求の範囲】
【請求項１】
躯体壁に設けられる内装壁の取付構造であって、
前記躯体壁から離間する位置に前記躯体壁に沿って一列に配置され、床スラブと天井スラブ又は梁とに固定される複数の長尺部材を含む壁下地と、
前記壁下地に固定される内装ボードと、
前記壁下地を前記躯体壁に固定する発泡接着剤とを備え、
複数の前記長尺部材が２０ｍｍ以上且つ２５ｍｍ以下の厚さを有し、水平方向に２８３ｍｍ以上且つ３２３ｍｍ以下のピッチで配置され、
前記発泡接着剤が、複数の前記長尺部材のすべてに対し、鉛直方向において前記長尺部材の中間部の１か所のみに設けられていることを特徴とする内装壁の取付構造。
【請求項２】
躯体壁に設けられる内装壁の取付構造であって、
前記躯体壁から離間する位置に前記躯体壁に沿って一列に配置され、床スラブと天井スラブ又は梁とに固定される複数の長尺部材を含む壁下地と、
前記壁下地に固定される内装ボードと、
前記壁下地を前記躯体壁に固定する発泡接着剤とを備え、
複数の前記長尺部材が４０ｍｍ以上且つ４５ｍｍ以下の厚さを有し、水平方向に２８３ｍｍ以上且つ３２３ｍｍ以下のピッチで配置され、
前記発泡接着剤が、複数の前記長尺部材に対して１つおきに、鉛直方向において前記長尺部材の中間部の１か所のみに設けられている内装壁の取付構造。
【請求項３】
請求項１に記載の取付構造によって取り付けられた第１の内装壁と、
請求項２に記載の取付構造によって取り付けられた第２の内装壁とを備えることを特徴とする建築物。
【請求項４】
躯体壁に設けられる内装壁の設計方法であって、
前記内装壁を、前記躯体壁から離間する位置に前記躯体壁に沿って水平方向に２８３ｍｍ以上且つ３２３ｍｍ以下のピッチで一列に配置され、天井スラブ又は梁と床スラブとに固定される２０ｍｍ以上且つ２５ｍｍ以下の厚さを有する複数の長尺部材を含む壁下地と、前記壁下地に固定される内装ボードと、前記壁下地を前記躯体壁に固定する発泡接着剤とを備える構造とし、
前記発泡接着剤を、複数の前記長尺部材のすべてに対し、鉛直方向において前記長尺部材の中間部の１か所のみに設けるものとすることを特徴とする内装壁の設計方法。
【請求項５】
躯体壁に設けられる内装壁の設計方法であって、
前記内装壁を、前記躯体壁から離間する位置に前記躯体壁に沿って水平方向に２８３ｍｍ以上且つ３２３ｍｍ以下のピッチで一列に配置され、天井スラブ又は梁と床スラブとに固定される４０ｍｍ以上且つ４５ｍｍ以下の厚さを有する複数の長尺部材を含む壁下地と、前記壁下地に固定される内装ボードと、前記壁下地を前記躯体壁に固定する発泡接着剤とを備える構造とし、
前記発泡接着剤を、複数の前記長尺部材に対して１つおきに、鉛直方向において前記長尺部材の中間部の１か所のみに設けるものとすることを特徴とする内装壁の設計方法。
【発明の詳細な説明】
【技術分野】
【０００１】
本開示は、建築物の鉄筋コンクリート造の躯体壁に内装壁を取り付けるための内装壁の取付構造、それにより取り付けられた内装壁を備える建築物及び、内装壁の設計方法に関する。
【背景技術】
【０００２】
集合住宅のような建築物では、遮音性が求められる戸境壁にコンクリート製の躯体壁が設けられる。躯体壁は、室内側の壁面近傍に石膏ボード等の内装ボードを設けて内装壁を形成した二重構造とされることがある（例えば、特許文献１）。特許文献１に記載の内装ボードの取付構造では、躯体壁に近接して天井スラブ下面、床スラブ上面にそれぞれ取り付けられた上ランナー、下ランナーと、上ランナーと下ランナーとに架設されたスタッド（軽量鉄骨（ＬＧＳ））と、スタッドと躯体壁との間に注入された発泡ウレタンフォームとからボード下地（内装壁の下地）が形成され、ボード下地の室内側面に内装ボードが取り付けられる。この取付構造では、スタッドが断面略Ｃ字形状を呈する長尺の軽量鉄骨形材とされ、内装ボードの厚さに応じ、３０３ｍｍ程度や４５５ｍｍ程度のピッチで配置されている。発泡ウレタンフォームは鉛直方向について９００ｍｍ以内のピッチで躯体壁とスタッドとの間に注入されている。
【０００３】
なお、ＬＧＳ下地には、幅が４０ｍｍ程度で厚さが４０〜４５ｍｍの断面寸法のものが一般的に多く用いられている。幅が４０ｍｍ程度で厚さが２０〜２５ｍｍの断面寸法のＬＧＳ下地なども製品として存在するが、このサイズのＬＧＳ下地は高い遮音性能が求められない間仕切り壁に用いられることが多い。
【０００４】
この取付構造では、発泡ウレタンフォームがスタッドを躯体壁に固定する接着剤の役割を果たし、発泡ウレタン系接着剤に振動絶縁効果がないことから、室外で発生して躯体壁を透過した音波が内装ボードを振動させ、室内に透過する。そこで本出願人は、室内に透過する騒音を減少させるための内装壁の取付構造を提案している（特許文献２）。この内装壁の取付構造は、躯体壁から離間する位置に配置されて天井スラブ及び床スラブに固定されるＬＧＳからなる壁下地と、壁下地の高さ方向の中間位置に固定され、躯体壁に向けて突出する支持部材と、壁下地の表面に固定される内装ボードとを備え、支持部材が躯体壁に当接又は対向する振動絶縁材を遊端に有する。これにより、騒音が躯体壁から支持部材を介して内装壁に伝わることが防止ないし低減される。
【先行技術文献】
【特許文献】
【０００５】
【特許文献１】特開２００２−０６１３７１号公報
【特許文献２】特開２０１５−１６９０４１号公報
【発明の概要】
【発明が解決しようとする課題】
【０００６】
しかしながら、特許文献２に記載の内装ボードの取付構造は、支持部材の遊端に設けられた振動絶縁材が躯体壁に当接又は対向するように支持部材を壁下地に固定する必要があるため、取付作業に手間がかかる。また、支持部材を用いるため部品点数が増加する。
【０００７】
これに対し、特許文献１に記載の内装ボードの取付構造は、発泡ウレタンフォームの注入によってスタッド（壁下地材）を躯体壁に固定できるため、取付作業は容易である。一方、この取付構造は、特許文献２で指摘されるように躯体壁を透過した音波振動が発泡ウレタンフォーム、壁下地及び内装ボードへと順に伝わり、室内に伝搬しやすい。音波振動の伝搬を抑制するためには、躯体壁への固定点数を少なくするとよい。遮音性能は壁下地の固定点数が少ないほど高くなる。
【０００８】
しかしながら、固定点数が少なくなると、壁下地を構成する長尺部材の撓み量が大きくなる。長尺部材の撓み量を抑制するために長尺部材の断面寸法を大きくすることが考えられるが、そのようにすると躯体壁から内装ボードまでの寸法が大きくなり、室内空間が狭くなる。
【０００９】
また従来の内装ボードの取付構造では、特定の周波数において内装ボードが共振することによって遮音性能が低下する。この遮音性能の低下が生じる周波数は、躯体壁と内装ボードとの間の空気層の厚さ、壁下地材の断面寸法、固定点数、内装ボードの厚さといった様々な条件に複雑に関係している。そのため、内装壁の遮音性能と撓み性能とを正確に予測することは難しく、遮音性能と撓み性能とを両立できる内装壁の適正仕様はこれまで示されていなかった。
【００１０】
本発明は、このような背景に鑑み、内装壁の取付作業を容易にし、且つ内装壁に遮音性能と撓み性能とを両立させることを課題とする。
【課題を解決するための手段】
【００１１】
このような課題を解決するために、本発明のある実施形態は、躯体壁（２）に設けられる内装壁（３）の取付構造であって、前記躯体壁から離間する位置に前記躯体壁に沿って一列に配置され、床スラブ（７）と天井スラブ（９）又は梁とに固定される複数の長尺部材（６）を含む壁下地（４）と、前記壁下地に固定される内装ボード（５）と、前記壁下地を前記躯体壁に固定する発泡接着剤（１１）とを備え、前記発泡接着剤が、鉛直方向において前記長尺部材の中間部の１か所のみに設けられている。
【００１２】
この構成によれば、発泡接着剤を用いて壁下地を躯体壁に固定でき、別部材を壁下地や躯体壁に固定する必要がないため、内装壁の取付作業が容易である。また、発泡接着剤が鉛直方向において長尺部材の中間部の１か所のみに設けられことで、鉛直方向において２か所以上に発泡接着剤が設けられる場合に比べ、内装壁の遮音性能を向上させることができる。更に、長尺部材の中間部に発泡接着剤が設けられることにより、長尺部材を鉛直方向の中間部で躯体壁に固定しない場合に比べ、内装壁の遮音性能の低下を抑制しつつ、内装壁の撓みを抑制することができる。
【００１３】
好ましくは、複数の前記長尺部材（６）が２０ｍｍ以上且つ２５ｍｍ以下の厚さを有し、水平方向に２８３ｍｍ以上且つ３２３ｍｍ以下のピッチで配置され、前記発泡接着剤（１１）が複数の前記長尺部材のすべてに対して設けられているとよい。
【００１４】
この構成によれば、長尺部材の厚さが一般的に用いられるものよりも薄いため、室内空間を拡大することができる。一方、各長尺部材の撓み性能は一般的に用いられるもの（厚さが４０〜４５ｍｍのもの）よりも低下するが、２８３ｍｍ以上且つ３２３ｍｍ以下のピッチで長尺部材が配置され、すべての長尺部材が発泡接着剤により躯体壁に固定されることにより、内装壁に所要の撓み性能を確保することができる。また、発泡接着剤が、すべての長尺部材に対して設けられても、鉛直方向の中間部の１か所のみに設けられることにより、内装壁の遮音性能の低下を抑制することができる。
【００１５】
好ましくは、複数の前記長尺部材（６）が４０ｍｍ以上且つ４５ｍｍ以下の厚さを有し、水平方向に２８３ｍｍ以上且つ３２３ｍｍ以下のピッチで配置され、前記発泡接着剤（１１）が複数の前記長尺部材に対して１つおきに設けられているとよい。
【００１６】
この構成によれば、２８３ｍｍ以上且つ３２３ｍｍ以下のピッチで長尺部材が配置されることにより、内装壁に所要の撓み性能を確保することができる。また、発泡接着剤が複数の長尺部材に対して１つおきに設けられることにより、内装壁の遮音性能の低下を抑制することができる。
【００１７】
また、上記課題を解決するために、本発明のある実施形態は、躯体壁（２）に設けられる内装壁（３）の設計方法であって、前記内装壁を、前記躯体壁から離間する位置に前記躯体壁に沿って一列に配置され、床スラブ（７）と天井スラブ（９）又は梁とに固定される複数の長尺部材（６）を含む壁下地（４）と、前記壁下地に固定される内装ボード（５）と、前記壁下地を前記躯体壁に固定する発泡接着剤（１１）とを備える構造とし、前記発泡接着剤を、鉛直方向において前記長尺部材の中間部の１か所のみに設けるものとする。
【００１８】
好ましくは、複数の前記長尺部材（６）が２０ｍｍ以上且つ２５ｍｍ以下の厚さを有する場合、前記長尺部材の水平方向のピッチを２８３ｍｍ以上且つ３２３ｍｍ以下とし、且つ前記発泡接着剤（１１）が複数の前記長尺部材のすべてに対して設けるものとする。
【００１９】
好ましくは、複数の前記長尺部材（６）が４０ｍｍ以上且つ４５ｍｍ以下の厚さを有する場合、前記長尺部材の水平方向のピッチを２８３ｍｍ以上且つ３２３ｍｍ以下とし、且つ前記発泡接着剤（１１）が複数の前記長尺部材に対して１つおきに設けるものとする。
【００２０】
好ましくは、前記躯体壁（２）が集合住宅の戸境壁と外壁とを含み、前記戸境壁に対して設ける前記内装壁（３）の前記長尺部材（６）の厚さを２０ｍｍ以上且つ２５ｍｍ以下とする。
【００２１】
集合住宅の典型例である板状住宅では、戸境壁の延長が外壁の延長よりも長くなることが多い。この構成によれば、戸境壁に対して設ける長尺部材の厚さを２０ｍｍ以上且つ２５ｍｍ以下とすることにより、室内空間を拡大することができる。
【発明の効果】
【００２２】
このように本発明によれば、内装壁の取付作業を容易にし、且つ内装壁に遮音性能と撓み性能とを両立させることができる。
【図面の簡単な説明】
【００２３】
【図１】実施形態に係る二重構造壁の概略構成を示す斜視図（ａ図は壁下地が形成された状態、ｂ図は内装ボードを壁下地に取り付けた状態）
【図２】二重構造壁の第１実施例の縦断面図
【図３】図２のIII−III線に沿って示す二重構造壁の横断面図
【図４】二重構造壁の第２実施例の縦断面図
【図５】図４のＶ−Ｖ線に沿って示す二重構造壁の横断面図
【図６】４５ｍｍ厚さのＬＧＳを用いた内装壁の水平方向の固定ピッチに応じた遮音性能を示すグラフ
【図７】２５ｍｍ厚さのＬＧＳを用いた内装壁の水平方向の固定ピッチ及び鉛直方向の固定点数に応じた遮音性能を示すグラフ
【図８】ＬＧＳの厚さ及び内装壁の水平方向の固定ピッチに応じた遮音性能を示すグラフ
【発明を実施するための形態】
【００２４】
以下、図面を参照して、本発明の実施形態について詳細に説明する。
【００２５】
図１は、実施形態に係る二重構造壁１の概略構成を示す斜視図であり、ａ図は壁下地４が形成された状態を示し、ｂ図は壁下地４に内装ボード５を取り付けた状態を示している。二重構造壁１は、集合住宅として利用される鉄筋コンクリート（ＲＣ）造の建築物の外壁及び戸境壁に適用される。二重構造壁１は、建築物の外壁又は戸境壁をなすＲＣ造の躯体壁２の表面に沿って内装壁３を設けて二重構造とされている。二重構造壁１が建築物の外壁をなす部分においては、内装壁３は躯体壁２の内側のみに設けられる。二重構造壁１が建築物の戸境壁をなす部分においては、内装壁３は躯体壁２の両側に設けられる。内装壁３は、躯体壁２から離間した位置に設けられた壁下地４と、壁下地４に取り付けられた内装ボード５とによりふかし壁として形成される。
【００２６】
図１（ａ）に示すように、集合住宅の戸境壁をなす躯体壁２から、わずかに離間した位置に（すなわち、クリアランスをとって）壁下地４が形成される。壁下地４の躯体壁２に対するクリアランスは、１０〜１５ｍｍ程度であってよい。壁下地４は、長尺部材である軽量鉄骨（ＬＧＳ）からなり、躯体壁２に沿って一列に且つ鉛直に建て込まれた複数のスタッド６（縦方向部材）を含む。スタッド６の下端は、躯体壁２の横方向（長さ方向）に沿って延在するように床スラブ７の上面に固定される下ランナー８を介して床スラブ７に固定される。スタッド６の上端は、躯体壁２の横方向に沿って延在するように天井スラブ９の下面に固定される上ランナー１０を介して天井スラブ９に固定される。スタッド６、下ランナー８及び上ランナー１０により壁下地４が構成される。上ランナー１０は、天井スラブ９の下面に梁が突出している場合には梁の下面に固定されてもよい。
【００２７】
下ランナー８及び上ランナー１０は、溝形の断面形状を呈する長尺材であって、互いの溝開口が対向するように配置される。下ランナー８は下面を床スラブ７の上面に当接させた状態で、図示しないピンを床スラブ７に打ち込むことによって床スラブ７に固定される。上ランナー１０は上面を天井スラブ９の下面に当接させた状態で、図示しないピンを天井スラブ９に打ち込むことによって天井スラブ９に固定される。スタッド６は、四角形の中空断面形状を呈し、下端及び上端を下ランナー８及び上ランナー１０の溝部に挿入され、下ランナー８及び上ランナー１０にビス止めされる。
【００２８】
スタッド６は、４０ｍｍ程度の幅（躯体壁２の横方向の寸法）を有する汎用品であってよい。内装壁３が設けられる位置に応じ、スタッド６には適宜な厚さ（躯体壁２の厚さ方向の寸法）を有するものが用いられてよい。スタッド６の厚さは、例えば、２０ｍｍ、２５ｍｍ、４０ｍｍ、４５ｍｍであってよい。下ランナー８及び上ランナー１０には、スタッド６の厚さに応じた溝幅（溝底にてスタッド６の厚さよりも若干大きく、開口部にてスタッド６の厚さよりも若干小さい幅）を有し、スタッド６を弾発的に挟持し得るものが用いられる。
【００２９】
スタッド６の上下方向の中間部は、発泡接着剤１１によって躯体壁２に固定される。発泡接着剤１１は、発泡性及び接着性を有するものであればよく、例えば発泡ポリスチレン系接着剤や発泡ウレタン系接着剤であってよい。また発泡接着剤１１は、発泡硬化するものであればよく、１成分からなる湿気硬化型であっても、２成分以上の混合硬化型であってもよい。発泡接着剤１１は、躯体壁２とスタッド６との隙間に注入され、発泡硬化することでスタッド６を躯体壁２に固定する。
【００３０】
図１（ｂ）に示すように、内装ボード５が壁下地４の躯体壁２と相反する側の面に固定されることにより、居室の内装壁３が形成される。内装ボード５はスタッド６に対してビス止めされる。内装ボード５はスタッド６だけでなく下ランナー８や上ランナー１０にねじ止めされてもよい。内装ボード５は汎用品の石膏ボードであり、一般に、９１０ｍｍ×１８２０ｍｍの長方形とされている。内装ボード５は縦長の向き（幅が９１０ｍｍで高さが１８２０ｍｍとなる向き）で壁下地４に取り付けられる。内装ボード５の厚みは、これらに限定されるものではないが、９．５ｍｍ、１２．５ｍｍ、１５ｍｍなどであってよい。
【００３１】
居室の内装壁３は、図１（ａ）に示すようにスタッド６の鉛直方向の中間部が発泡接着剤１１により躯体壁２に固定されることにより、躯体壁２側に撓むことが規制される。
【００３２】
図２は二重構造壁１の第１実施例の縦断面図であり、図３は図２のIII−III線に沿って示す二重構造壁１の横断面図である。第１実施例は、建築物の戸境壁に適しているが、外壁に適用されてもよい。図示例では、躯体壁２の両側に内装壁３が設けられる戸境壁に第１実施例の二重構造壁１が適用されている。外壁に適用される場合には、躯体壁２の一側のみに内装壁３が設けられる。第１実施例では、壁下地４のスタッド６の断面寸法は、幅４０ｍｍ、厚さ２０ｍｍ又は２５ｍｍとされている。
【００３３】
図２に示すように、下ランナー８及び上ランナー１０は、躯体壁２の表面からわずかに離間した位置にて床スラブ７及び天井スラブ９に固定されている。スタッド６は全長にわたって躯体壁２から離間している。図３に示すように、スタッド６の水平方向のピッチ（中心間距離）は３０３ｍｍとされている。スタッド６の位置が水平方向に１０ｍｍ程度ずれ、一部のピッチが２８３ｍｍ〜３２３ｍｍになっていてもよい。内装ボード５は、上記のように９１０ｍｍの幅を有しており、両側縁がスタッド６の中心に位置するように配置され、４本のスタッド６に対して複数のビス１２によって固定されている。発泡接着剤１１は、スタッド６のすべてに対して設けられている。
【００３４】
図４は二重構造壁１の第２実施例の縦断面図であり、図５は図４のＶ−Ｖ線に沿って示す二重構造壁１の横断面図である。第２実施例は、建築物の外壁に適しているが、戸境壁に適用されてもよい。図示例では、躯体壁２の両側に内装壁３が設けられる戸境壁に第２実施例の二重構造壁１が適用されている。外壁に適用される場合には、躯体壁２の一側のみに内装壁３が設けられる。第２実施例では、壁下地４のスタッド６の断面寸法は、幅４０ｍｍ、厚さ４０ｍｍ又は４５ｍｍとされている。
【００３５】
図４に示すように、下ランナー８及び上ランナー１０は、躯体壁２の表面からわずかに離間した位置にて床スラブ７及び天井スラブ９に固定され、スタッド６は全長にわたって躯体壁２から離間している。図５に示すように、スタッド６の水平方向のピッチは３０３ｍｍとされている。スタッド６の位置が水平方向に１０ｍｍ程度ずれ、一部のピッチが２８３ｍｍ〜３２３ｍｍになっていてもよい。内装ボード５は、上記のように９１０ｍｍの幅を有しており、両側縁がスタッド６の中心に位置するように配置され、４本のスタッド６に対して複数のビス１２によって固定されている。一方、発泡接着剤１１は、スタッド６に対して１つおきに設けられている。すなわち、スタッド６の躯体壁２に対する水平方向の固定ピッチは６０６ｍｍとされている。
【００３６】
二重構造壁１がこのような構成とされることにより、発泡接着剤１１を用いて壁下地４を（具体的には、スタッド６の鉛直方向の中間部を）躯体壁２に固定することができ、別部材を壁下地４や躯体壁２に固定する必要がないため、内装壁３の取付作業が容易である。
【００３７】
また、二重構造壁１の第１実施例及び第２実施例は、このように構成されることにより、高い遮音構造と内装壁３の高い撓み性能（撓みにくい性能）とを両立する。以下、二重構造壁１の性能について説明する。
【００３８】
ＬＧＳをスタッド６に用いた内装壁３は、壁ふところ内の空気層と内装ボード５との共振により、ある特定の周波数で遮音性能が低下する特性を有している。そのため、空気層寸法、スタッド６の断面寸法及び躯体壁２に対する固定点数、内装ボード５の厚さといった条件の組み合わせによっては、二重構造壁１の遮音性能が著しく低下することがあるという欠点があった。一般に遮音性能は内装壁３の躯体壁２に対する固定点数が少ないほど有利だが、固定点数を減らし過ぎると逆に内装壁３の撓み量が増加する。更にその他の条件とも複雑に関係し合っているため、両性能の予測は困難であり、これまで、遮音性能と撓み性能を両立できる内装壁３の適正仕様は示されていなかった。
【００３９】
一般に、スタッド６に用いるＬＧＳには、断面寸法が幅４０ｍｍ、厚さ４０〜４５ｍｍの部材が多く用いられる。その場合、スタッド６の躯体壁２に対するクリアランスと内装ボード５の厚さを含む内装壁３の仕上げの総厚は７０〜１００ｍｍ程度を必要とし、その分、居住スペースが狭くなるという欠点があった。厚さが２５ｍｍ程度の薄型のＬＧＳも市販されており、これを用いれば、居住スペースの確保に有効であるが、これまで、上記の遮音性能の低下及び撓み量の増加の懸念から、これが用いられることは殆どなかった。
【００４０】
そこで、本発明者は、内装壁３の仕様条件（スタッド６の断面寸法及び固定点数、クリアランス寸法、内装ボード５の厚さ）と遮音性能及び撓み性能との関係を実験により明らかにし、スタッド６の断面寸法ごとに両性能を低下させない最適仕様を見出した。
【００４１】
まず発明者は、戸境壁に適用した二重構造壁１の実物大試験体を作成し、戸境壁によって区画された２つの部屋の空間音圧レベル差を計測する実験を行った（以下、第１の実験とする）。室間音圧レベル差は、その値が大きいほど二重構造壁１の遮音性能が高いことを示す。第１の実験では、厚さ４５ｍｍのスタッド６を水平方向の３０３ｍｍピッチで配置した２つの試験体（第１及び第２の試験体）を用意した。第１の試験体では、スタッド６のすべてに対して発泡接着剤１１を設け、躯体壁２に対する内装壁３の水平方向の固定ピッチを３０３ｍｍとした。第２の試験体では、スタッド６に対して１つおきに発泡接着剤１１を設け、躯体壁２に対する内装壁３の水平方向の固定ピッチを６０６ｍｍとした（図５に示す構成と同じ）。スタッド６の鉛直方向の固定点数は、両試験体とも１点（図４に示す構成と同じ）とした。
【００４２】
また、両試験体について撓み性能を確認した。撓み性能の確認は、所定の横方向荷重を試験体の内装壁３に加え、内装壁３の撓みを目視で判定した。第１及び第２の試験体はともに、所望の撓み性能を確認することができた。
【００４３】
遮音性能の試験では、各試験体について、オクターブバンド中心周波数がそれぞれ１２５Ｈｚ、２５０Ｈｚ、５００Ｈｚの３つのオクターブバンドの空間音圧レベル差を計測した。図６は、第１の実験の結果を示すグラフであり、４５ｍｍ厚さのスタッド６を用いた内装壁３の水平方向の固定ピッチに応じた遮音性能を示している。グラフには、実験結果に加え、Ｄｒ−４５、Ｄｒ−５０、Ｄｒ−５５の空気音遮断性能の等級曲線も示している。Ｄｒ値は、ＪＩＳ  Ａ１４１９：２０００（ＩＳＯ  ７１７−１：１９９６）に定められる遮音性能であり、Ｄｒ−５０は集合住宅の遮音性能基準として一般的な性能である。
【００４４】
図６に示すように、固定ピッチが３０３ｍｍの第１の試験体に比べ、固定ピッチが６０６ｍｍの第２の試験体は、すべての周波数おいて高い遮音性能を示した。また、固定ピッチが３０３ｍｍの第１の試験体は、１２５ＨｚにおいてＤｒ−５０の遮音性能を下回ったが、固定ピッチが６０６ｍｍの第２の試験体は、すべての周波数おいてＤｒ−５０の遮音性能を上回った。
【００４５】
これらのことから、厚さ４５ｍｍのスタッド６を用いる場合、水平方向の固定ピッチが小さくなると遮音性能が低下することから、固定ピッチを６０６ｍｍにするとよい。
【００４６】
また発明者は、戸境壁に適用した二重構造壁１の小試験体を作成し、戸境壁によって区画された２つの部屋にて内装ボード５の振動加速度をそれぞれ計測し、振動加速度レベル低減量を求める実験を行った（以下、第２の実験とする）。振動加速度レベル低減量は、騒音発生源側の部屋の内装ボード５の振動加速度に対する隣室の内装ボード５の振動加速度の低減量であり、その値が大きいほど遮音性能が高いことを示す。第２の実験では、厚さ２５ｍｍのスタッド６を水平方向の３０３ｍｍピッチで配置した３つの試験体（第３〜第５の試験体）を用意した。第３の試験体では、躯体壁２に対する内装壁３の水平方向の固定ピッチを６０６ｍｍとし、スタッド６の鉛直方向の固定点数を１とした。第４の試験体では、躯体壁２に対する内装壁３の水平方向の固定ピッチを３０３ｍｍとし、鉛直方向の固定点数を２とした。第５の試験体では、躯体壁２に対する内装壁３の水平方向の固定ピッチを３０３ｍｍとし、鉛直方向の固定点数を１とした。
【００４７】
また、各試験体について撓み性能を確認した。撓み性能の確認は、第１の実験と同様に、所定の横方向荷重を試験体の内装壁３に加え、内装壁３の撓みを目視で判定した。第３の試験体は、水平方向の固定ピッチが大きいことから撓み量が大きく、所望の撓み性能を確認できなかった。第４及び第５の試験体はともに、所望の撓み性能を確認することができた。
【００４８】
遮音性能の試験では、各試験体について、オクターブバンド中心周波数がそれぞれ１２５Ｈｚ、２５０Ｈｚ、５００Ｈｚの３つのオクターブバンドの振動加速度レベルを計測した。図７は、第２の実験の結果を示すグラフであり、２５ｍｍ厚さのスタッド６を用いた内装壁３の水平方向の固定ピッチ及び鉛直方向の固定点数に応じた遮音性能を示している。
【００４９】
図７に示すように、固定ピッチが６０６ｍｍ、鉛直方向の固定点数が１の第３の試験体では、撓み性能は低かったが、すべての周波数において良好な遮音性能が得られた。特に５００Ｈｚの高音域において高い遮音性能が得られた。固定ピッチが３０３ｍｍ、鉛直方向の固定点数が２の第４の試験体では、５００Ｈｚの高音域では高い遮音性能が得られたが、第３の試験体に比べ、すべての周波数において遮音性能が低かった。固定ピッチが３０３ｍｍ、鉛直方向の固定点数が１の第５の試験体では、５００Ｈｚの高音域において第３の試験体に比べて遮音性能が低かったが、すべての周波数において良好な遮音性能が得られた。
【００５０】
これらのことから、厚さ２５ｍｍのスタッド６を用いる場合、水平方向の固定ピッチを６０６ｍｍにすると撓み性能を確保できないことがわかる。また、水平方向の固定ピッチを６０６ｍｍにすると撓み性能は確保できるが、鉛直方向の固定点数を２にした場合には、これを１にした場合に比べて遮音性能が低下することがわかる。したがって、厚さ２５ｍｍのスタッド６を用いる場合、水平方向の固定ピッチを３０３ｍｍとし、鉛直方向の固定点数を１にするとよい。
【００５１】
このように、発泡接着剤１１を鉛直方向においてスタッド６の中間部の１か所のみに設けることにより、鉛直方向において２か所以上に発泡接着剤１１を設ける場合に比べ、内装壁３の遮音性能を向上させることができる。また、スタッド６の中間部に発泡接着剤１１を設けることにより、スタッド６を鉛直方向の中間部で躯体壁２に固定しない場合に比べ、内装壁３の遮音性能の低下を抑制しつつ、内装壁３の撓みを抑制することができる。
【００５２】
したがって、躯体壁２に設けられる内装壁３を設計する場合には、発泡接着剤１１により壁下地４を躯体壁２に固定する構造とし、発泡接着剤１１を、鉛直方向においてスタッド６の中間部の１か所のみに設けるものとする。これにより、発泡接着剤１１を用いて壁下地４を躯体壁２に固定でき、別部材を壁下地４や躯体壁２に固定する必要がないため、内装壁３の取付作業を容易にできる。また、発泡接着剤１１が鉛直方向においてスタッド６の中間部の１か所のみに設けられことで、鉛直方向において２か所以上に発泡接着剤１１が設けられる場合に比べ、内装壁３の遮音性能を向上させることができる。更に、スタッド６の中間部に発泡接着剤１１が設けられることにより、スタッド６を鉛直方向の中間部で躯体壁２に固定しない場合に比べ、内装壁３の遮音性能の低下を抑制しつつ、内装壁３の撓みを抑制することができる。
【００５３】
更に発明者は、第１の実験と同様に、戸境壁に適用した二重構造壁１の実物大試験体を作成し、戸境壁によって区画された２つの部屋の空間音圧レベル差を計測する実験を行った（以下、第３の実験とする）。第３の実験では、スタッド６を水平方向の３０３ｍｍピッチで配置し、スタッド６の鉛直方向の固定点数を１とした３つの試験体（第６〜第８の試験体）を用意した。第６の試験体では、厚さ４５ｍｍのスタッド６を用い、水平方向の固定ピッチを３０３ｍｍとした。第７の試験体では、厚さ２５ｍｍのスタッド６を用い、水平方向の固定ピッチを６０６ｍｍとした。第８の試験体では、厚さ２５ｍｍのスタッド６を用い、水平方向の固定ピッチを３０３ｍｍとした。第６の試験体は上記第２の試験体と同一構成且つ同一サイズ（すなわち、同一）であり、第７の試験体は上記第３の試験体と同一構成のサイズ違い（すなわち、相似）であり、第８の試験体は上記第５の試験体と同一構成のサイズ違い（相似）である。
【００５４】
各試験体について確認した撓み性能は、第１及び第２の実験の結果と同様であった。すなわち、第６及び第８の試験体は、第２及び第５の試験体と同じく、所望の撓み性能を確認することができた。また、第７の試験体は、第３の試験体と同じく、所望の撓み性能を確認できなかった。
【００５５】
遮音性能の試験は第１の実験と同じ要領で行った。図８は、第３の実験の結果を示すグラフであり、スタッド６の厚さ及び内装壁３の水平方向の固定ピッチに応じた遮音性能を示している。図８に示すように、第６〜第８の試験体はすべての周波数のおいて良好な遮音性能を示した。第６の試験体は、１２５Ｈｚの低音域においてＤｒ−５０の遮音性能曲線を若干下回っているが、ＪＩＳ  Ａ  １４１９−１：２０００（ＩＳＯ  ７１７−１：１９９６）によれば、「測定結果が等級曲線の値より最大２ｄＢまで下回ることを許容する」とされており、第６の試験体もＤｒ−５０の遮音性能を満たすと評価できる。なお、第１の実験では、第６の試験体と同一の第２の試験体は１２５Ｈｚの低音域においてもＤｒ−５０を上回る遮音性能を示しており、このことからも、第６の試験体の遮音性能が良好であることがわかる。
【００５６】
以下に、上記実験の結果をまとめた表を示す。
【表１】
0006884914.tif 000002
【００５７】
このように、スタッド６が２０ｍｍ以上且つ２５ｍｍ以下の厚さを有し、水平方向に３０３ｍｍのピッチで配置され、発泡接着剤１１が複数のスタッド６のすべてに対して設けられるとよい。スタッド６は一般的に用いられるものよりも薄いため、室内空間を拡大することができる。一方、各スタッド６の撓み性能は一般的に用いられるもの（厚さが４０〜４５ｍｍのもの）よりも低下するが、３０３ｍｍのピッチで配置されたスタッド６のすべてが発泡接着剤１１により躯体壁２に固定されることにより、内装壁３に所要の撓み性能を確保できる。また、発泡接着剤１１が、すべてのスタッド６に対して設けられても、鉛直方向の中間部の１か所のみに設けられることにより、内装壁３の遮音性能の低下を抑制できる。
【００５８】
一方、スタッド６が４０ｍｍ以上且つ４５ｍｍ以下の厚さを有し、水平方向に３０３ｍｍのピッチで配置され、発泡接着剤１１が複数のスタッド６に対して１つおきに設けられているとよい。３０３ｍｍのピッチでスタッド６が配置されることにより、内装壁３に所要の撓み性能を確保できる。また、発泡接着剤１１が複数のスタッド６に対して１つおきに設けられることにより、内装壁３の遮音性能の低下を抑制できる。
【００５９】
したがって、躯体壁２に設けられる内装壁３を設計する際には、スタッド６が２０ｍｍ以上且つ２５ｍｍ以下の厚さを有する場合、スタッド６の水平方向のピッチを３０３ｍｍとし、且つ発泡接着剤１１を複数のスタッド６のすべてに対して設けるものとする。また、スタッド６が４０ｍｍ以上且つ４５ｍｍ以下の厚さを有する場合、スタッド６の水平方向のピッチを３０３ｍｍとし、且つ発泡接着剤１１を複数のスタッド６に対して１つおきに設けるものとする。
【００６０】
集合住宅の典型例である板状住宅では、戸境壁の延長が外壁の延長よりも長くなることが多い。そのため、躯体壁２が集合住宅の戸境壁と外壁とを含む集合住宅の内装壁３を設計する際には、戸境壁に対して設ける内装壁３のスタッド６の厚さを２０ｍｍ以上且つ２５ｍｍ以下とするとよい。これにより、戸境壁に接する室内空間を拡大することができる。
【００６１】
以上で具体的実施形態の説明を終えるが、本発明は上記実施形態に限定されることなく幅広く変形実施することができる。例えば、上記実施形態では、一例として本発明を、集合住宅の躯体壁２に適用したが、オフィスビルやホテル、学校、医療施設などの建築物の躯体壁２に本発明を適用してもよい。また上記実施形態では、スタッド６が四角形の中空断面形状とされているが、Ｃ形溝形状（リップ付き溝形）やＨ形の断面形状とされてもよい。また上記実施形態では、スタッド６が発泡接着剤１１によって直接、躯体壁２に固定されているが、スタッド６の長手方向の中間部に固定用部材或いはスペーサが設けられ、固定用部材又はスペーサと躯体壁２との間に発泡接着剤１１が注入されてもよい。この場合、スタッド６は、発泡接着剤１１によって固定用部材又はスペーサを介して躯体壁２に固定されるが、内装壁３の取付作業が容易であり、且つ内装壁３が遮音性能と撓み性能とを両立できる点は変わりない。この他、各部材や部位の具体的構成や配置、数量、角度など、本発明の趣旨を逸脱しない範囲であれば適宜変更可能である。一方、上記実施形態に示した各構成要素は必ずしもすべてが必須ではなく、適宜選択することができる。
【符号の説明】
【００６２】
１    二重構造壁
２    躯体壁
３    内装壁
４    壁下地
５    内装ボード
６    スタッド（長尺部材）
７    床スラブ
８    下ランナー
９    天井スラブ
１０  上ランナー
１１  発泡接着剤
１２  ビス
【要約】
【課題】内装壁３の取付作業を容易にし、且つ内装壁３に遮音性能と撓み性能とを両立させる。
【解決手段】躯体壁２に設けられる内装壁３の取付構造は、躯体壁２から離間する位置に躯体壁２に沿って一列に配置され、床スラブ７と天井スラブ９又は梁とに固定される複数の長尺部材（スタッド６）を含む壁下地４と、壁下地４に固定される内装ボード５と、壁下地４を躯体壁２に固定する発泡接着剤１１とを備える。発泡接着剤１１は、鉛直方向において長尺部材（６）の中間部の１か所のみに設けられる。
【選択図】図１【図１】
0006884914.tif 000003
【図２】
0006884914.tif 000004
【図３】
0006884914.tif 000005
【図４】
0006884914.tif 000006
【図５】
0006884914.tif 000007
【図６】
0006884914.tif 000008
【図７】
0006884914.tif 000009
【図８】
0006884914.tif 000010